(57)【要約】【課題】広告表示器を用いてターゲットとなる閲覧者に効果的な広告情報を配信する。【解決手段】広告配信装置１は、複数の集合住宅に各々設けられた広告表示器２０に向けて広告情報を配信する装置である。広告配信装置１は、集合住宅に住む居住者の属性データを予め集合住宅毎に記憶し、当該属性データと、広告情報に設定されたターゲットの属性条件データとを照合して、広告情報の属性条件を満たすターゲットがいるか否かを集合住宅毎に判定し、特定の集合住宅にある広告表示器２０に向けて広告情報を配信する。また、広告配信装置１は、撮影装置３０が撮影した映像から作成され、広告表示器２０に表示される広告情報を閲覧したターゲットの人数を示す閲覧人数データを取得し、予め記憶された広告料金データを参照して、当該閲覧人数データに対応する広告料金を算出する。【選択図】図１
2015185139.tif 000002
【特許請求の範囲】
【請求項１】
複数の施設に各々設けられた広告表示器に向けて、該広告表示器に表示させるための広告情報を配信する広告配信装置であって、
前記施設を利用する施設利用者の属性を示す属性データを施設毎に記憶する記憶部と、
前記広告情報を提供する広告主端末から、配信対象となる前記広告情報と、該広告情報に対して設定されたターゲットの属性条件を示す属性条件データと、をネットワークを通じて受信する受信部と、
各々の前記広告表示器に向けて前記広告情報を配信するか否かを判定する判定部と、
該判定部の判定結果によって特定の前記広告表示器に前記広告情報を配信する配信部と、を備え、
前記判定部は、前記記憶部に記憶された施設毎の前記属性データと、前記受信部によって受信した前記属性条件データとを照合して、前記広告情報の前記属性条件を満たす前記施設利用者がいるか否かを施設毎に判定することを特徴とする広告配信装置。
【請求項２】
前記施設とは、集合住宅からなり、
前記施設利用者の属性データとは、前記集合住宅に居住する者の年齢、性別、又は世帯構成を含む情報からなることを特徴とする請求項１に記載の広告配信装置。
【請求項３】
前記判定部は、前記属性データと、前記属性条件データとを照合して、前記広告情報の前記属性条件を満たす前記施設利用者が規定人数以上いるか否かを施設毎に判定することを特徴とする請求項１又は２に記載の広告配信装置。
【請求項４】
前記広告表示器の周辺を撮影する撮影装置が前記施設に設けられる場合において、
前記撮影装置が撮影した映像に基づいて、前記広告表示器に表示される前記広告情報を閲覧した前記施設利用者の人数を示す閲覧人数データを取得する取得部を備え、
前記記憶部には、前記広告情報を閲覧した前記施設利用者の人数と、前記広告情報の広告料金との関係を示した広告料金データが記憶され、
該広告料金データを参照して、前記取得部によって取得した前記閲覧人数データに対応する前記広告料金を算出する料金算出部を備えていることを特徴とする請求項１乃至３のいずれか１項に記載の広告配信装置。
【請求項５】
請求項１乃至４のいずれか１項に記載の広告配信装置と、該広告配信装置とネットワークを通じて接続され、前記広告表示器の周辺を撮影する撮影装置と、を備えた広告配信システムであって、
前記撮影装置は、
前記広告表示器の周辺を撮影した映像から、前記広告表示器に表示される前記広告情報を閲覧した前記施設利用者を認識する認識部と、
該認識部によって認識された前記施設利用者の人数を集計する集計部と、
該集計部によって集計された前記施設利用者の人数を示す閲覧人数データを、前記広告配信装置に向けて発信する発信部と、を備え、
前記広告配信装置は、
前記記憶部に、前記広告情報を閲覧した前記施設利用者の人数と、前記広告情報の広告料金との関係を示した広告料金データが記憶され、
該広告料金データを参照して、前記発信部によって発信された前記閲覧人数データに対応する前記広告料金を算出する料金算出部を備えていることを特徴とする広告配信システム。
【請求項６】
前記集計部は、前記認識部によって認識された前記施設利用者と、新たに認識される前記施設利用者とを照合して、それぞれ特定される前記施設利用者が同一人物の場合には、新たに認識される前記施設利用者の数を加えないで前記施設利用者の人数を集計することを特徴とする請求項５に記載の広告配信システム。
【請求項７】
前記認識部は、前記映像から、前記広告情報を閲覧した前記施設利用者の属性を認識し、
前記集計部は、前記認識部によって認識された前記施設利用者の人数を、前記施設利用者の属性別に分けて集計することを特徴とする請求項５又は６に記載の広告配信システム。
【請求項８】
複数の施設に各々設けられた広告表示器に向けて、該広告表示器に表示させるための広告情報をコンピュータが配信する広告配信方法であって、
前記施設を利用する施設利用者の属性を示す属性データを施設毎に記憶する記憶部を備えた前記コンピュータが、
前記広告情報を提供する広告主端末から、配信対象となる前記広告情報と、該広告情報に対して設定されたターゲットの属性条件を示す属性条件データと、をネットワークを通じて受信する受信処理と、
各々の前記広告表示器に向けて前記広告情報を配信するか否かを判定する判定処理と、
該判定処理の判定結果によって特定の前記広告表示器に前記広告情報を配信する配信処理と、を備え、
前記判定処理において、前記コンピュータは、前記記憶部に記憶された施設毎の前記属性データと、前記受信処理によって受信した前記属性条件データとを照合して、前記広告情報の前記属性条件を満たす前記施設利用者がいるか否かを施設毎に判定することを特徴とする広告配信方法。
【発明の詳細な説明】
【技術分野】
【０００１】
本発明は、広告配信装置、広告配信システム及び広告配信方法に係り、特に、施設に設けられた広告表示器に向けて広告情報を配信する広告配信装置、広告配信システム及び広告配信方法に関する。
【背景技術】
【０００２】
近年、通信ネットワークを介して配信される広告情報を表示するデジタルサイネージと呼ばれる電子広告媒体が、店舗、街頭、駅、空港等の様々な場所に設置されている。
デジタルサイネージは、例えば、テレビコマーシャルのように不特定多数の閲覧者に広告情報を配信するのではなく、設置場所や時間帯等を考慮したターゲットの設定を行い、そのターゲットに焦点をあてた広告情報を配信することができる。そのため、その設置場所や時間帯等に適したキャンペーン等の情報配信を行えることが特徴となっている。
【０００３】
そして、デジタルサイネージの広告効果を高めるために、例えば、デジタルサイネージに設けられたカメラによって閲覧者の顔や体形を撮像し、画像処理によって性別や年齢等を推測し、推定した性別や年齢等に相応しい広告を提供する技術が知られている（例えば、特許文献１参照）。
【０００４】
特許文献１には、デジタルサイネージに表示される広告情報を効果的に提供するための広告提供システムが開示されている。
具体的には、広告提供管理装置が、デジタルサイネージの近傍に存在する閲覧者の携帯端末から識別情報を取得し、当該識別情報に基づいて閲覧者の性別、年齢等の属性情報を取得し、当該属性情報に基づいて選択された広告情報をデジタルサイネージに配信する構成となっている。
【先行技術文献】
【特許文献】
【０００５】
【特許文献１】特開２０１２−９８５９８号公報
【発明の概要】
【発明が解決しようとする課題】
【０００６】
しかしながら、特許文献１のような広告提供システムでは、閲覧者の携帯端末から属性情報を取得する以上、全ての閲覧者から属性情報を取得することはできず、必ずしもターゲットとなる閲覧者に有益な広告情報になっているとは限らなかった。
また、閲覧者の属性情報を逐次取得することで、プライバシーを侵害されているとの印象を持たせてしまう虞もあり、非常に手間もかかっていた。
そのため、デジタルサイネージのような広告表示器に表示される広告情報を閲覧する者から、新たに属性情報を取得することなく、シンプルな構成でターゲットとなる閲覧者に効果的な広告情報を配信可能な広告配信システムの開発が要望されていた。
【０００７】
また、デジタルサイネージを用いた広告配信システムでは、広告依頼主が所望するターゲットに焦点をあてて広告情報を配信できるため、広告情報を提供する広告依頼主と、広告依頼主から広告料金を受け取る広告配信会社との双方にとって大きなメリットが得られるものの、必ずしも閲覧者側にメリットが得られるシステムとはなっていなかった。
そのため、広告依頼主及び広告配信会社だけでなく、広告閲覧者にとっても有益な広告配信システムが望まれていた。
【０００８】
本発明は、上記の課題に鑑みてなされたものであり、本発明の目的は、広告表示器を用いてターゲットとなる閲覧者に効果的な広告情報を配信することが可能な広告配信装置、広告配信システム及び広告配信方法を提供することにある。
また、本発明の他の目的は、広告表示器に表示される広告情報を閲覧する者から新たな属性情報を逐次取得することなく、効果的な広告情報を配信可能な広告配信装置、広告配信システム及び広告配信方法を提供することにある。
また、本発明の他の目的は、広告依頼主及び広告配信会社だけでなく、広告閲覧者にとっても有益な広告配信装置、広告配信システム及び広告配信方法を提供することにある。
【課題を解決するための手段】
【０００９】
前記課題は、本発明の広告配信装置によれば、複数の施設に各々設けられた広告表示器に向けて、該広告表示器に表示させるための広告情報を配信する広告配信装置であって、前記施設を利用する施設利用者の属性を示す属性データを施設毎に記憶する記憶部と、前記広告情報を提供する広告主端末から、配信対象となる前記広告情報と、該広告情報に対して設定されたターゲットの属性条件を示す属性条件データと、をネットワークを通じて受信する受信部と、各々の前記広告表示器に向けて前記広告情報を配信するか否かを判定する判定部と、該判定部の判定結果によって特定の前記広告表示器に前記広告情報を配信する配信部と、を備え、前記判定部は、前記記憶部に記憶された施設毎の前記属性データと、前記受信部によって受信した前記属性条件データとを照合して、前記広告情報の前記属性条件を満たす前記施設利用者がいるか否かを施設毎に判定すること、により解決される。
【００１０】
上記のように、広告配信装置は、施設に設けられた広告表示器に向けて広告情報を配信する装置からなり、施設を利用する施設利用者の属性を示す属性データを予め施設毎に記憶しており、施設毎の属性データと、広告情報に設定された属性条件データとを照合することで、広告情報の属性条件を満たす施設利用者がいるか否かを施設毎に判定し、特定の広告表示器に向けて広告情報を配信することができる。
そのため、広告表示器に表示される広告情報を閲覧する者から、新たな属性情報を逐次取得することなく、シンプルな構成で、ターゲットとなる閲覧者に効果的な広告情報を配信することが可能となる。
【００１１】
このとき、前記施設とは、集合住宅からなり、前記施設利用者の属性データとは、前記集合住宅に居住する者の年齢、性別、又は世帯構成を含む情報からなると良い。
上記構成により、広告配信装置は、集合住宅に設置された広告表示器に向けて特定の広告情報を配信することができる。詳しく言うと、広告配信装置は、集合住宅に居住する者の年齢、性別、又は世帯構成を含む属性情報を記憶し、居住者の属性条件を満たした広告情報のみを配信できる。
そのため、広告依頼主にとっては、ターゲットに焦点をあてた広告情報を配信できるメリットがあり、広告配信装置を所有する集合住宅管理会社にとっては、シンプルな構成で広告依頼主から広告料金を受け取れるメリットがあり、かつ、集合住宅に住む居住者にとっては、有益な広告情報を得られるだけでなく、集合住宅管理会社から広告料金の一部を受け取れるメリットがある。
【００１２】
このとき、前記判定部は、前記属性データと、前記属性条件データとを照合して、前記広告情報の前記属性条件を満たす前記施設利用者が規定人数以上いるか否かを施設毎に判定すると良い。
上記構成により、広告情報を閲覧する施設利用者の人数を規定人数以上確保することができるため、広告情報の広告効果が高まる。
【００１３】
このとき、前記広告表示器の周辺を撮影する撮影装置が前記施設に設けられる場合において、前記撮影装置が撮影した映像に基づいて、前記広告表示器に表示される前記広告情報を閲覧した前記施設利用者の人数を示す閲覧人数データを取得する取得部を備え、前記記憶部には、前記広告情報を閲覧した前記施設利用者の人数と、前記広告情報の広告料金との関係を示した広告料金データが記憶され、該広告料金データを参照して、前記取得部によって取得した前記閲覧人数データに対応する前記広告料金を算出する料金算出部を備えていると良い。
上記構成により、実際に広告情報を閲覧した施設利用者の人数に基づいて広告料金を算出することができる。
【００１４】
また、上記広告配信装置と、該広告配信装置とネットワークを通じて接続され、前記広告表示器の周辺を撮影する撮影装置と、を備えた広告配信システムであって、前記撮影装置は、前記広告表示器の周辺を撮影した映像から、前記広告表示器に表示される前記広告情報を閲覧した前記施設利用者を認識する認識部と、該認識部によって認識された前記施設利用者の人数を集計する集計部と、該集計部によって集計された前記施設利用者の人数を示す閲覧人数データを、前記広告配信装置に向けて発信する発信部と、を備え、前記広告配信装置は、前記記憶部に、前記広告情報を閲覧した前記施設利用者の人数と、前記広告情報の広告料金との関係を示した広告料金データが記憶され、該広告料金データを参照して、前記発信部によって発信された前記閲覧人数データに対応する前記広告料金を算出する料金算出部を備えた広告配信システムも実現することができる。
上記構成により、撮影装置によって広告表示器の周辺を撮影した映像から、実際に広告情報を閲覧した施設利用者の人数を集計して、施設利用者の人数に基づく広告料金を算出することができる。
【００１５】
このとき、前記集計部は、前記認識部によって認識された前記施設利用者と、新たに認識される前記施設利用者とを照合して、それぞれ特定される前記施設利用者が同一人物の場合には、新たに認識される前記施設利用者の数を加えないで前記施設利用者の人数を集計すると良い。
上記構成により、実際に広告情報を閲覧した施設利用者の人数をより正確に集計することができ、当該施設利用者の人数に基づく正確な広告料金を算出することができる。
【００１６】
このとき、前記認識部は、前記映像から、前記広告情報を閲覧した前記施設利用者の属性を認識し、前記集計部は、前記認識部によって認識された前記施設利用者の人数を、前記施設利用者の属性別に分けて集計すると良い。
上記構成により、実際に広告情報を閲覧した施設利用者の中から、広告情報のターゲットなる属性条件を満たす施設利用者のみの人数を集計することができ、当該施設利用者のみの人数に基づく正確な広告料金を算出することができる。
【００１７】
また、複数の施設に各々設けられた広告表示器に向けて、該広告表示器に表示させるための広告情報をコンピュータが配信する広告配信方法であって、前記施設を利用する施設利用者の属性を示す属性データを施設毎に記憶する記憶部を備えた前記コンピュータが、前記広告情報を提供する広告主端末から、配信対象となる前記広告情報と、該広告情報に対して設定されたターゲットの属性条件を示す属性条件データと、をネットワークを通じて受信する受信処理と、各々の前記広告表示器に向けて前記広告情報を配信するか否かを判定する判定処理と、該判定部の判定結果によって特定の前記広告表示器に前記広告情報を配信する配信処理と、を備え、前記判定処理において、前記コンピュータは、前記記憶部に記憶された施設毎の前記属性データと、前記受信処理によって受信した前記属性条件データとを照合して、前記広告情報の前記属性条件を満たすか否かを施設毎に判定する広告配信方法も実現することができる。
【発明の効果】
【００１８】
本発明の広告配信装置、広告配信システム及び広告配信方法によれば、広告表示器を用いてターゲットとなる閲覧者に効果的な広告情報を配信することができる。
また、広告表示器に表示される広告情報を閲覧する者から、新たな属性情報を逐次取得することなく、効果的な広告情報を配信可能な広告配信装置、広告配信システム及び広告配信方法となる。
また、広告依頼主及び広告配信会社だけでなく、広告閲覧者にとっても有益な広告配信装置、広告配信システム及び広告配信方法となる。
【図面の簡単な説明】
【００１９】
【図１】本実施形態に係る広告配信システム全体の構成図である。
【図２】広告配信装置のハード構成図である。
【図３】広告配信装置、広告表示器及び撮影装置のソフト構成図である。
【図４】施設利用者の属性データの一例を示す図である。
【図５】広告情報に設定される属性条件データの一例を示す図である。
【図６】閲覧人数データの一例を示す図である。
【図７】広告料金データの一例を示す図である。
【図８】本実施形態に係る広告配信方法の処理の一例を示すフロー図である。
【発明を実施するための形態】
【００２０】
以下、本発明の実施形態について図１〜図８を参照して説明する。
本実施形態は、複数の集合住宅に各々設けられた広告表示器に向けて広告情報を配信する広告配信装置であって、集合住宅に住む居住者の属性データを予め集合住宅毎に記憶し、当該属性データと、広告情報に設定されたターゲットの属性条件データとを照合して、広告情報の属性条件を満たすターゲットがいるか否かを集合住宅毎に判定し、特定の集合住宅に設けられた広告表示器に向けて広告情報を配信することを特徴とする広告配信装置の発明に関するものである。
なお、広告表示器が設置される施設は、マンションやアパートのような集合住宅だけでなく、公共施設、宿泊施設又は企業施設等であっても良い。
【００２１】
本実施形態の広告配信装置１を含む広告配信システムＳ全体の構成を図１に示す。
広告配信システムＳは、複数の集合住宅を管理する集合住宅管理会社に設置される広告配信装置１と、広告配信装置１とネットワークを介してそれぞれ接続され、広告情報を提供する広告会社に設置される広告主端末１０と、複数の集合住宅に各々設置される広告表示器２０と撮影装置３０と、から主に構成されている。
【００２２】
広告配信装置１は、広告主端末１０と情報データ通信を行い、図８に示すように、広告表示器２０に表示させるための広告情報と、当該広告情報に設定されたターゲットの属性条件を示す属性条件データとを受信し、これら広告情報及び属性条件データに基づいて特定の広告表示器２０に広告情報を配信した後、広告情報の閲覧人数に対応する広告情報の請求料金を示す請求料金データを発信することができる。
また、広告配信装置１は、広告表示器２０と情報データ通信を行い、各々の広告表示器２０に向けて広告情報を配信するか否かを判定し、当該判定結果によって特定の広告表示器２０に広告情報を配信することができる。
さらに、広告配信装置１は、撮影装置３０と情報データ通信を行い、広告表示器２０に表示される広告情報を閲覧した閲覧人数を示す閲覧人数データを取得することができる。
【００２３】
広告配信装置１のハード構成を図２に示す。
広告配信装置１は、データの演算・制御処理装置としてのＣＰＵと、記憶装置としてのＲＯＭ、ＲＡＭ、及びＨＤＤと、ホームネットワーク又はインターネットを通じて情報データの送受信を行う通信用インタフェースとを備えたコンピュータである。
また、広告配信装置１は、所定の書式で表示される文字又は画像の情報を出力表示する印刷装置及び表示装置と、ＣＰＵに所定の指令を入力するときユーザ入力操作される入力装置と、外付けハードディスク等の外部記憶媒体とを備えている。
なお、広告主端末１０、広告表示器２０及び撮影装置３０についても同様のハード構成を備えたコンピュータである。
【００２４】
広告配信装置１のＲＯＭ、ＨＤＤ、及び記憶媒体装置には、図３に示すように、コンピュータとして必要な機能を果たすメインプログラムに加えて、広告配信プログラムが記憶されており、これらプログラムがＣＰＵによって実行されることにより、広告配信装置１の機能が発揮されることになる。
【００２５】
広告配信装置１のソフト構成を図３に示す。
広告配信装置１は、機能面から説明すると、各種プログラム及び各種情報データを記憶する記憶部２と、広告主端末１０から広告情報と、属性条件データとをネットワークを通じて受信する受信部３と、各々の広告表示器２０に向けて広告情報を配信するか否かを判定する判定部４と、判定部４の判定結果によって特定の広告表示器２０に広告情報を配信する配信部５と、撮影装置３０から閲覧人数データをネットワークを通じて取得する取得部６と、取得部６によって取得した閲覧人数データに対応する広告料金を算出する料金算出部７と、を主な構成要素として備えている。
【００２６】
記憶部２には、集合住宅に住む居住者の属性を示す属性データ、及び、広告情報を閲覧した居住者の人数と、広告情報の広告料金との関係を示した広告料金データが予め記憶されている。また、広告主端末１０から受信した広告情報、属性条件データ、及び、撮影装置３０から取得した閲覧人数データが記憶されている。また、広告料金データと閲覧人数データに基づいて作成された請求料金データが記憶されている。
これらは、ＣＰＵ、ＲＯＭ、ＲＡＭ、ＨＤＤ、通信用インタフェース、及び各種プログラム等によって構成されている。
【００２７】
広告主端末１０は、図１に示すように、広告情報を提供する情報通信端末であって、広告主が広告主端末１０を操作して広告配信装置１にアクセスできる。
広告主端末１０は、情報通信端末として必要な機能を果たすメインプログラムを記憶しており、配信対象となる広告情報と、広告情報に設定された属性条件データとを生成した上で、インターネットを通じて広告配信装置１に送信することができる。
【００２８】
広告表示器２０は、図１に示すように、配信された広告情報をディスプレイ上に表示させるデジタルサイネージ端末であって、各集合住宅において出入り口やエレベータホール等の住居者が良く目にする位置に設置されるものである。
広告表示器２０は、機能面から説明すると、図３に示すように、各種プログラム及び各種情報データを格納する格納部２１と、広告情報を表示するディスプレイに相当する表示部２２と、を主な構成要素として備えている。
格納部２１には、メインプログラムに加えて、広告配信装置１から配信された広告情報が記憶されている。
【００２９】
撮影装置３０は、図１に示すように、カメラ付きの情報通信端末であって、各広告表示器２０の上面に各々設置されるものである。
撮影装置３０は、広告表示器２０の周辺を撮影し、当該撮影した映像から、広告表示器２０に表示される広告情報を閲覧した居住者を認識し、認識した居住者の人数を集計することができる。
【００３０】
撮影装置３０は、機能面から説明すると、図３に示すように、各種プログラム及び各種情報データを格納する格納部３１と、広告表示器２０の前方部分を撮影した映像から、広告表示器２０上の広告情報を閲覧した居住者の顔を認識する認識部３２と、認識部３２によって認識された居住者の人数を所定の条件で集計する集計部３３と、集計された居住者の人数を示す閲覧人数データを広告配信装置１に向けて発信する発信部３４と、を主な構成要素として備えている。
格納部３１には、集計部３３によって作成された閲覧人数データが記憶されている。集計部３３の集計条件は、適宜設定変更可能である。
なお、広告表示器２０、撮影装置３０は、各集合住宅に在中する管理人によって操作されても良いし、各集合住宅を一括して管理する集合住宅管理会社によって遠隔操作されても良い。
【００３１】
次に、広告配信装置１にそれぞれ記憶される図４に示す属性データと、図５に示す属性条件データについて詳細に説明する。
なお、広告配信装置１の配信対象となる広告情報については、説明を省略する。
【００３２】
属性データは、集合住宅に居住する居住者の属性を示すデータテーブルであって、集合住宅管理会社の所有する広告配信装置１に記憶され、所定期間毎に更新されるものである。
具体的には、属性データには、各居住者ＩＤ（各施設利用者ＩＤ）に対して居住者の年齢、性別、及び世帯構成に関する属性がそれぞれ対応付けられている。
従って、広告配信装置１は、上記属性データを参照することで、例えば、特定の集合住宅において２０才〜５０才の女性に該当する居住者の人数を計算処理することができる。
【００３３】
属性条件データは、図５に示すように、広告情報に対して設定されたターゲットの属性条件を示すデータテーブルであって、広告主端末１０から広告配信装置１に送信されて記憶されるものである。
具体的には、属性条件データには、広告主が提供する各広告情報に対して、広告ターゲットとなる居住者の年齢、性別、及び世帯構成に関する属性と、広告情報を配信する上で必要な最小ターゲット数と、がそれぞれ対応付けられている。
例えば、広告情報Ａの属性条件については、ある集合住宅において２０才〜５０才の女性に該当する居住者の人数が１００人以上いることが必要とされている。
従って、広告配信装置１は、上記属性データと、上記属性条件データとを照合することで、特定の集合住宅が広告情報Ａの属性条件を満たすか否かを判定処理することができる。
【００３４】
次に、広告配信装置１にそれぞれ記憶される図６に示す閲覧人数データと、図７に示す広告料金データについて詳細に説明する。
閲覧人数データは、広告表示器２０に表示される広告情報を閲覧した居住者の人数を示すデータテーブルであって、撮影装置３０の映像から認識される居住者を集計することで作成され、撮影装置３０から広告配信装置１に発信されて記憶されるものである。
具体的には、閲覧人数データには、一定期間中に集計された広告情報のターゲットとなる居住者の閲覧人数が記録されている。
また、閲覧人数データには、一定期間中に撮影装置３０によって認識された各居住者の属性を示す一覧データが含まれている。詳しく言うと、各閲覧者ＩＤに対して、居住者が認識された時間帯、居住者の年齢、性別、ターゲットの該当性、重複の有無がそれぞれ対応けられている。
【００３５】
ターゲットの該当性について説明すると、例えば、図６に示すように、広告情報のターゲットが２０才〜５０才の女性である場合、閲覧者ＩＤ０００２、閲覧者ＩＤ０００５、閲覧者ＩＤ１０００の居住者がターゲットに該当し、フラグとしてターゲットの項目欄に目印が付されることになる。
また、重複の有無について説明すると、例えば、当日中に既に認識された閲覧者ＩＤ０００５の居住者と、新たに認識される閲覧者ＩＤ１０００の居住者とが同一人物の場合には、新たに認識される閲覧者ＩＤ１０００の居住者に対応する重複の項目欄にＩＤ０００５の文字が付されることになる。そして、閲覧者ＩＤ１０００の居住者を人数に加えないで、ターゲットの閲覧人数が集計される。
【００３６】
上記閲覧人数データの作成について、撮影装置３０の機能面から説明すると、撮影装置３０は、撮影した映像から、広告情報を閲覧した居住者の属性を認識し、認識した居住者の人数を、居住者の属性別に分けて集計処理している。
そして、撮影装置３０は、撮影した映像から既に認識された居住者と、新たに認識される居住者とを照合して、それぞれ特定される居住者が同一人物の場合には、新たに認識される居住者の数を加えないでターゲットとなる居住者の閲覧人数を集計処理している。
【００３７】
広告料金データは、図７に示すように、広告情報を閲覧した居住者の人数と、広告情報の広告料金との関係を示すデータテーブルであって、広告配信装置１に記憶されるものである。
具体的には、広告料金データは、各広告情報に対して１日の閲覧人数あたりの広告料金（料金単価）が対応付けられている。
例えば、広告情報Ａの１日の広告料金は、当日中に広告情報Ａを閲覧したターゲットとなる居住者の人数に、料金単価１０円／人を乗じることで算出される。
従って、広告配信装置１が、上記広告料金データを参照することで、上記閲覧人数データに対応する広告料金を算出処理することができる。
【００３８】
＜広告配信方法＞
次に、広告配信装置１で実行される広告配信プログラムの処理について、図８に基づいて説明する。
図８は、本実施形態に係る広告配信プログラムの処理のうち、コンピュータに相当する広告配信装置１が、広告主端末１０から広告情報と、広告情報に設定された属性条件データを受信し、予め記憶された集合住宅に住む居住者の属性データと、受信した属性条件データとを照合して、広告情報の属性条件を満たすか否かを集合住宅毎に判定し、特定の集合住宅に設けられた広告表示器２０に広告情報を配信する処理を実行するフローチャートである。
また、図８は、広告配信装置１が、撮影装置３０から、広告表示器２０上の広告情報を閲覧した居住者の人数を示す閲覧人数データを取得し、予め記憶された広告料金データを参照して、取得した閲覧人数データに対応する広告料金を算出し、広告情報の請求料金データを広告主端末１０に発信する処理を実行するフローチャートである。
【００３９】
本実施形態に係る広告配信プログラムは、記憶部２を備えた広告配信装置１の機能的な構成要素として、上述した受信部３と、判定部４と、配信部５と、取得部６と、料金算出部７とを実現させるために各種プログラムを集約させたユーティリティプログラムであって、広告配信装置１のＣＰＵがこの広告配信プログラムを実行する。
【００４０】
図８に示す広告配信プロセスでは、まず、広告配信装置１の受信部３が、広告主端末１０から各種情報データを受信するステップ０１（ＳＴ０１）から始まる。
各種情報データとは、配信対象となる広告情報と、広告情報に設定された図５に示す属性条件データであって、これら情報データは全て記憶部２に記憶される。
具体的には、広告主端末１０側は、広告情報Ａ〜広告情報Ｊを配信対象として提供するときに、各広告情報のターゲットとなる居住者の年齢、性別、世帯構成等を示す属性条件データを共に送信することになる。
【００４１】
次に、ステップ０２（ＳＴ０２）で、広告配信装置１の判定部４が、各々の広告表示器２０に向けて広告情報を配信するか否かを判定する。
詳細に説明すると、判定部４が、記憶部２に記憶された集合住宅に住む居住者の属性を示す図４に示す属性データと、受信部３によって受信した図５に示す属性条件データとを照合して、広告情報に設定された属性条件を満たすか否かを集合住宅毎に判定する。
具体的には、広告配信装置１は、広告情報Ａに設定された広告ターゲットの条件、すなわち２０才〜５０才の女性居住者の人数が１００人以上いることを満たすか否かを集合住宅毎に判定する。
【００４２】
次に、ステップ０３で、広告配信装置１の配信部５が、判定部４の判定結果によって特定された広告表示器２０に広告情報を配信する。
ステップ０３−１で広告配信装置１から広告情報を受信した広告表示器２０は、表示部２２に当該広告情報を表示する（ステップ０３−２）。
【００４３】
一方で、撮影装置３０の認識部３２は、広告表示器２０の前方部分を撮影した映像から、広告表示器２０に表示される広告情報を閲覧した居住者を認識する（ステップ０３−３）。
詳細に説明すると、認識部３２は、撮影した映像から、広告表示器２０上の広告情報を閲覧した居住者の顔を認識する。
次に、撮影装置３０の集計部３３は、撮影した映像から認識される居住者の顔から、居住者の人数を属性別に分けて集計し（ステップ０３−４）、発信部３４が、集計部３３によって集計された居住者の閲覧人数を示す閲覧人数データを、広告配信装置１に向けて発信する（ステップ０３−５）。
具体的には、撮影装置３０は、撮影した映像から居住者の顔を認識し、居住者の年齢、性別、ターゲットの該当性を推定し、ターゲットとなる居住者の閲覧人数を集計する。このとき、当日中において、既に認識された居住者と、新たに認識される居住者とが同一人物の場合には、新たに認識される居住者の数を加えないでターゲットとなる居住者の閲覧人数を集計する。
【００４４】
次に、ステップ０４で、広告配信装置１の取得部６が、撮影装置３０から図４に示す閲覧人数データを取得する。閲覧人数データは、広告配信装置１の記憶部２に記憶される。
【００４５】
次に、ステップ０５で、広告配信装置１の料金算出部７が、記憶部２に記憶された図７に示す広告料金データを参照して、取得部６によって取得した閲覧人数データに対応する広告料金を算出し、不図示の請求料金データを作成する。
広告料金データとは、広告情報を閲覧した居住者の人数と、広告情報の広告料金との関係を示すデータであって、予め広告配信装置１に記憶されるものである。
請求料金データとは、広告情報の閲覧人数に対応する広告情報の請求料金を示すデータであって、広告配信装置１に記憶されるものである。
【００４６】
最後に、ステップ０６で、広告配信装置１の不図示の発信部が、広告主端末１０に向けて請求料金データを発信する。
なお、広告主端末１０は、広告配信装置１から当該請求料金データを受信する。
上記ステップ０１からステップ０６を経て図８のプロセスを終了する。
【００４７】
上記の広告配信プログラムの処理フローにより、広告配信装置１が、広告表示器２０に表示される広告情報を閲覧する者から新たに属性情報を取得することなく、効果的な広告情報を配信することができる。
特に、広告配信装置１が集合住宅管理会社によって所有され、広告表示器２０が各集合住宅に各々設置されているため、集合住宅に住む居住者にとって、有益な広告情報を得られるだけでなく、集合住宅管理会社から広告料金の一部を受け取れるメリットがある。
【００４８】
＜その他の実施形態＞
上記実施形態において、広告表示器２０は、デジタルサイネージ端末に限定されることなく変更可能であって、電光掲示板や大型映像装置等のように、通信ネットワークを介して広告情報を受信し、当該広告情報を表示可能な機器であれば良い。
【００４９】
上記実施形態において、撮影装置３０は、撮影した映像から閲覧者の顔を認識する構成となっているが、認識手法を適宜変更可能であって、例えば閲覧者の体形や動作等を認識して閲覧者を特定する構成としても良い。
【００５０】
上記実施形態において、撮影装置３０は、撮影機能と、撮影した画像から閲覧者を認識する認識機能と、閲覧者人数を集計する集計機能とを兼ね備えた情報通信端末からなるが、撮影機能を備えた撮影機器と、画像認識機能を備えた機器と、集計機能を備えたデータロガーとをそれぞれ別体で有し、それぞれネットワークで接続される構成としても良い。
【００５１】
上記実施形態において、撮影装置３０の集計部３３は、撮影した映像から認識される複数の居住者が同一人物の場合には、新たに認識される居住者の数を加えないで居住者の閲覧人数を集計処理しているが、これに限定されることなく、同一人物を当日中に２回以上カウントしても良い。
また、集計部３３は、撮影した映像から認識される居住者を、居住者の属性別に分けて集計処理しているが、これに限定されることなく、居住者の属性を問わずに集計処理しても良い。
【００５２】
本実施形態では、主として本発明に係る広告配信装置、広告配信システム及び広告配信方法に関して説明した。
ただし、上記の実施形態は、本発明の理解を容易にするための一例に過ぎず、本発明を限定するものではない。本発明は、その趣旨を逸脱することなく、変更、改良され得ると共に、本発明にはその等価物が含まれることは勿論である。
特に、広告配信装置１で実行される広告配信プログラムの処理について、また、広告配信装置１の記憶部２に記憶される施設利用者の属性データ、属性条件データ、閲覧人数データ、及び広告料金データの構成、配置レイアウトについて、上記の実施形態にて説明したものは、あくまで一例に過ぎず、本発明を限定するものではない。
【符号の説明】
【００５３】
Ｓ  広告配信システム
１  広告配信装置
２  記憶部
３  受信部
４  判定部
５  配信部
６  取得部
７  料金算出部
１０  広告主端末
２０  広告表示器
２１  格納部
２２  表示部
３０  撮影装置
３１  格納部
３２  認識部
３３  集計部
３４  発信部
【図１】
2015185139.tif 000003
【図２】
2015185139.tif 000004
【図３】
2015185139.tif 000005
【図４】
2015185139.tif 000006
【図５】
2015185139.tif 000007
【図６】
2015185139.tif 000008
【図７】
2015185139.tif 000009
【図８】
2015185139.tif 000010